(57)【要約】【課題】平らな面だけでなく凹凸面やざらざら面のある壁や壁紙面などの壁面を傷めたり汚したりせず、しかも、壁面に固定する物品に対する保持力の大きい固定方法を提供する。【解決手段】壁面４０の凹凸間に変形可能な第１の弾性体１０およびそれより大きい剛性を有する第２の弾性体を物品３１の背面３０に固定して壁面４０に押接する。そして、弾性体１０、２０と壁面４０間に細管６１を挿入し、この細管６１に空気吸引手段を連結して弾性体１０、２０と壁面４０間に存在する空気を吸引する。これにより、弾性体１０が壁面４０の凹凸面に対応し、壁面４０と弾性体１０、２０の間の気密性を保持して物品３１を壁面４０に固定する。【選択図】        図１
2004293570.tif 000002
【特許請求の範囲】
【請求項１】
物品の背面に環状またはシート状の変形可能な弾性体を固定し、前記弾性体を壁面の凹凸面に押接し、前記弾性体と前記壁面間の空気を吸引することで壁面に吸着させることを特徴とする物品固定器具。
【請求項２】
前記弾性体が中央部にざぐり領域を有することを特徴とする請求項１に記載の物品固定器具。
【請求項３】
前記弾性体が環状の第１の弾性体と前記第１の弾性体の内部に配された第２の弾性体から構成され、前記第２の弾性体は前記第１の弾性体よりも大きい剛性を有することを特徴とする請求項１に記載の物品固定器具。
【請求項４】
前記第２の弾性体は前記第１の弾性体よりも硬度、ヤング率、引張強度、横弾性係数、せん断強度の少なくとも１つが大きいことを特徴とする請求項３に記載の物品固定器具。
【請求項５】
前記弾性体はシリコーンゲル、シリコーンゴム、ポリマージェル、オリフィン系ゲル、ブチルゴム、エチレンプロピレンゴムのいずれかで形成されたことを特徴とする請求項１から請求項４のいずれかに記載の物品固定器具。
【請求項６】
弾性体の内部または外部に高剛性体または高反発材を配置したことを特徴とする請求項１から請求項５のいずれかに記載の物品固定器具。
【請求項７】
前記高剛性体又は前記高反発材によって発生する反発モーメントが、固定される物品の荷重によって物品固定器具を壁から浮き上がらせる剥離モーメントよりも大きくなるように構成したことを特徴とする請求項６記載の物品固定器具。
【請求項８】
前記弾性体の硬度をＪＩＳＫ２２０７で計測される針入度を２０ｍｍ以下または日本ゴム協会基準規格ＳＲＩＳ０１０１で計測される値が１００以下であることを特徴とする請求項１から請求項５のいずれかに記載の物品固定器具。
【請求項９】
前記弾性体と前記壁面間に細管を挿入し、前記細管に掃除機または真空ポンプ等の吸引具を連結して空気を吸引することで壁面に吸着させることを特徴とする請求項１に記載の物品固定器具。
【請求項１０】
前記弾性体と前記壁面間に細管を挿入し、前記細管に手動空気吸引装置を連結して空気を吸引することで壁面に吸着させることを特徴とする請求項１に記載の物品固定器具。
【請求項１１】
壁面に固定する環状またはシート状の変形可能な弾性体と、転倒ストッパーを備え、前記転倒ストッパーは前記弾性体に固定される第１部材と、家具に固定される第２部材と、前記第１部材および前記第２部材を連結する連結材と、前記第１部材と前記家具との間に配置されるばねとを有することを特徴とする家具の転倒防止器具。
【請求項１２】
請求項１０に記載の物品固定器具に用いる手動空気吸引装置であって、手動で往復可能な円筒状のピストンと前記ピストンを挿入するシリンダと、前記シリンダ端面に空気の逆流を防ぐ逆止弁とを有し、前記ピストンと前記シリンダで囲まれた空間に吸引室を形成したことを特徴とする手動空気吸引装置。
【発明の詳細な説明】
【０００１】
【発明の属する技術分野】
本発明は、平らな面だけでなく凹凸面やざらざら面の壁面に吸着固定する物品固定器具に関する。
【０００２】
【従来の技術】
従来、壁面に物を固定する際、両面テープ等の粘着材、接着剤を固定物の背面と壁面の間に介在させ、固定物を押接させ、粘着力や接着力によって固定する。また、くぎやねじ等の締結部品を用いて、固定物と壁面を貫通させて固定させる方法が周知の通り知られている。
また、壁面が平坦である場合には吸盤を使用して固定することが行われている。
しかし、粘着材や接着剤を使用する固定方法では壁の取付け面を粘着材や接着材をはがすときに、壁紙を同時に傷めたり、汚したりする。また、くぎやねじ等の締結部品を用いる場合はくぎやねじの穴が残り、壁の取付け面を傷めてしまう。
一方、吸盤を使用する方法は取り付け面を傷めたり汚したりすることはないが、取り付け面が凹凸面やざらざら面の壁及び壁紙などでは固定できない。これを解決するために特許文献１、特許文献２のように、吸盤の吸着面にシリコーンバウシングパテやシリコーンゴムを介在させたもの、あるいは特許文献３のように吸盤の吸着面の縁部全周に容易に変形する材料を接着したものが提案されている。
【０００３】
【特許文献１】
特開平８−３１２６３０号公報（第１頁要約、第３頁（０００８）および図１、図３）
【特許文献２】
特開平８−３２６７３６号公報（第１頁要約、第２頁（０００７）および図１、図２）
【特許文献３】
特開平１０−２４６２２０号公報（第２頁特許請求の範囲、第２頁（０００３）および図１、図２）
【０００４】
【発明が解決しようとする課題】
これら従来の吸盤は、凹凸面やざらざら面に吸着させるために、硬度の低い弾性体を使用している。ところが、吸盤に小物入れなどの日用品、エアコンやテレビなどのリモコン台、小型棚などの日用品、家電製品の付属物、家具等を固定する場合、重量が下方に働くために、図７に示すように、物品１０１の重量により吸盤１００の密着面１０２に対して平行に加重が作用してせん断力１０３により剥離１０４したり、図８に示すように、物品１０１の重量により吸盤１００を浮き上がらせるモーメント１０５が発生して剥離１０６する。したがって、吸盤１００は密着面１０２からずれ落ちたり剥離する恐れがあり、密着面に固定することができる物品として軽いものしか使用できない。
【０００５】
そこで、本発明は平らな面だけでなく凹凸面やざらざら面のある壁や壁紙面などの壁面を傷めたり汚したりしないで、かつ、壁面に固定する物品に対する保持力を大きくして、種々の日用品、家具及び家電製品等を固定することが可能な物品固定器具を提供することを目的とする。
また、比較的重い固定物についても凹凸やざらざら面の壁面において確実に固定することができる物品固定器具を提供することを目的とする。
また、物品の重量によって生ずる剥離モーメントをキャンセルさせることにより重量物に対しても高い保持力で固定することができる物品固定器具を提供することを目的とする。
また、壁面を傷めたり汚したりせずに地震発生時の家具転倒を防止する物品固定器具を提供することを目的とする。
【０００６】
【課題を解決するための手段】
請求項１記載の本発明の物品固定器具は、物品の背面に環状またはシート状の変形可能な弾性体を固定し、前記弾性体を壁面の凹凸面に押接し、前記弾性体と前記壁面間の空気を吸引することで壁面に吸着させることを特徴とする。
請求項２に記載の本発明は、請求項１に記載の物品固定器具において、前記弾性体が中央部にざぐり領域を有することを特徴とする。
請求項３に記載の本発明は、請求項１に記載の物品固定器具において、前記弾性体が環状の第１の弾性体と前記第１の弾性体の内部に配された第２の弾性体から構成され、前記第２の弾性体は前記第１の弾性体よりも大きい剛性を有することを特徴とする。
請求項４に記載の本発明は、請求項３に記載の物品固定器具において、前記第２の弾性体は前記第１の弾性体よりも硬度、ヤング率、引張強度、横弾性係数、せん断強度の少なくとも１つが大きいことを特徴とする。
請求項５に記載の本発明は、請求項１から請求項４のいずれかに記載の物品固定器具において、前記弾性体はシリコーンゲル、シリコーンゴム、ポリマージェル、オリフィン系ゲル、ブチルゴム、エチレンプロピレンゴムのいずれかで形成されたことを特徴とする。
請求項６に記載の本発明は、請求項１から請求項５のいずれかに記載の物品固定器具において、弾性体の内部または外部に高剛性体または高反発材を配置したことを特徴とする。
請求項７に記載の本発明は、請求項６に記載の物品固定器具において、前記高剛性体又は前記高反発材によって発生する反発モーメントが、固定される物品の荷重によって物品固定器具を壁から浮き上がらせる剥離モーメントよりも大きくなるように構成したことを特徴とする。
請求項８に記載の本発明は、請求項１から請求項５のいずれかに記載の物品固定器具において、前記弾性体の硬度をＪＩＳＫ２２０７で計測される針入度を２０ｍｍ以下または日本ゴム協会基準規格ＳＲＩＳ０１０１で計測される値が１００以下であることを特徴とする。
請求項９に記載の本発明は、請求項１に記載の物品固定器具において、前記弾性体と前記壁面間に細管を挿入し、前記細管に掃除機または真空ポンプ等の吸引具を連結して空気を吸引することで壁面に吸着させることを特徴とする。
請求項１０に記載の本発明は、請求項１に記載の物品固定器具において、前記弾性体と前記壁面間に細管を挿入し、前記細管に手動空気吸引装置を連結して空気を吸引することで壁面に吸着させることを特徴とする。
請求項１１に記載の本発明の家具の転倒防止器具は、壁面に固定する環状またはシート状の変形可能な弾性体と、転倒ストッパーを備え、前記転倒ストッパーは前記弾性体に固定される第１部材と、家具に固定される第２部材と、前記第１部材および前記第２部材を連結する連結材と、前記第１部材と前記家具との間に配置されるばねとを有することを特徴とする。
請求項１２に記載の本発明の手動空気吸引装置は、請求項１０に記載の物品固定器具に用いる手動空気吸引装置であって、手動で往復可能な円筒状のピストンと前記ピストンを挿入するシリンダと、前記シリンダ端面に空気の逆流を防ぐ逆止弁とを有し、前記ピストンと前記シリンダで囲まれた空間に吸引室を形成したことを特徴とする。
【０００７】
【発明の実施の形態】
本発明の第１の実施の形態による物品固定器具は、物品の背面に環状またはシート状の変形可能な弾性体を固定し、弾性体を壁面の凹凸面に押接し、弾性体と壁面間の空気を吸引することで壁面に吸着させるものである。本実施の形態によれば、簡便な掃除機や真空ポンプまたは安価な手動空気吸引装置を用い、壁面と弾性体の間の空気を吸引することによって、壁紙などの凹凸面のある壁面においても、弾性体が凹凸面に対応し、壁面と弾性体の間の気密性を保ち、固定物を壁面に固定することができる。
本発明の第２の実施の形態は、第１の実施の形態による物品固定器具において、弾性体が中央部にざぐり領域を有するものである。本実施の形態によれば、空気吸引時に吸込み空気流がざぐり領域の周囲四方向から吸引され易くなるので密着性がより向上する。さらにざくり領域の真空領域により重量物に対する固定も可能となり、より強固な固定が実現できる。
本発明の第３の実施の形態は、第１の実施の形態による物品固定器具において、弾性体が環状の第１の弾性体と第１の弾性体の内部に配された第２の弾性体から構成され、第２の弾性体は第１の弾性体よりも大きい剛性を有するものである。本実施の形態によれば、弾性体と壁面との気密性密着性を上げる働きをさせる弾性体と固定物を保持させるための剛性の高い弾性体を分けることができるので、比較的重い固定物についても凹凸やざらざら面の壁面において固定することができる。
本発明の第４の実施の形態は、第３の実施の形態による物品固定器具において、第２の弾性体は第１の弾性体よりも硬度、ヤング率、引張強度、横弾性係数、せん断強度の少なくとも１つが大きいものである。本実施の形態によれば、第１の弾性体が壁面との気密性密着性を上げる作用をし、第２の弾性体が固定物を保持させる作用をするので、比較的重い固定物についても凹凸やざらざら面の壁面において固定することができる。
本発明の第５の実施の形態は、第１から第４のいずれかの実施の形態による物品固定器具において、弾性体はシリコーンゲル、シリコーンゴム、ポリマージェル、オリフィン系ゲル、ブチルゴム、エチレンプロピレンゴムのいずれかで形成されたものである。本実施の形態によれば、弾性体が壁面の凹凸面やざらざら面の表面粗さに対応しやすく、壁面に対する密着性も高くすることができる。さらに、気体透過性の小さいブチルゴム、エチレンプロピレンゴムを用いることにより、外気から空気を浸透しにくくするので、壁面と弾性体との間の真空度をより一層保つことができる。特に、第１の弾性体に用いることによって、壁面と弾性体との間の真空度をより保つことができる。
本発明の第６の実施の形態は、第１から第５のいずれかの実施の形態による物品固定器具において、弾性体の内部または外部に高剛性体または高反発材を配置したもので、この高剛性体または高反発材によって、固定される物品の荷重によって物品固定器具を壁から浮き上がらせる剥離モーメントをキャンセルさせる反発モーメントを発生させるものである。本実施の形態によれば、物品固定器具が壁面から浮いて気密性を確保できなくなるのを防止し、密着力をあげることが可能となるので、より重い物品を壁面に保持できる信頼性の高い物品固定器具を得ることができる。
本発明の第７の実施の形態は、第６の実施の形態による物品固定器具において、高剛性体又は高反発材によって発生する反発モーメントが、固定される物品の荷重によって物品固定器具を壁から浮き上がらせる剥離モーメントよりも大きくなるように構成したものである。本実施の形態によれば、物品固定器具を壁面から浮き上がらせて落下させる剥離モーメントに対し、常に反発モーメントが大きくなるので、安定的に壁面に物品を固定させ、密着することができるので、重量物に対しても高い信頼性が得られる。
本発明の第８の実施の形態は、第１から第５のいずれかの実施の形態による物品固定器具において、弾性体の硬度をＪＩＳＫ２２０７で計測される針入度を２０ｍｍ以下または日本ゴム協会基準規格ＳＲＩＳ０１０１で計測される値が１００以下としたものである。本実施の形態によれば、弾性体の気密性が保持しやすくなるので、より大きな凹凸面を有する壁面でも物品の保持をすることができる。
本発明の第９の実施の形態は、第１の実施の形態による物品固定器具において、弾性体と壁面間に細管を挿入し、細管に掃除機または真空ポンプ等の吸引具を連結して空気を吸引するものである。本実施の形態によれば、壁面と弾性体の間の空気の吸引を特別な装置を使用せずに掃除機や真空ポンプを用いて行うことができる。
本発明の第１０の実施の形態は、第１の実施の形態による物品固定器具において、弾性体と壁面間に細管を挿入し、細管に手動空気吸引装置を連結して空気を吸引するものである。本実施の形態によれば、壁面と弾性体の間の空気の吸引を手動で行うことができるので、電源などがない場所でも確実に弾性体と壁面間の空気吸引を行うことができる。
本発明の第１１の実施の形態による家具の転倒防止器具は、壁面に固定する環状またはシート状の変形可能な弾性体と、転倒ストッパーを備え、転倒ストッパーは弾性体に固定される第１部材と、家具に固定される第２部材と、第１部材および第２部材を連結する連結材と、第１部材と家具との間に配置されるばねとを有することにより、このばねによって弾性体を常に壁面に押圧した状態を維持することができる。従って、設置時から長時間が経過したとしても壁面と弾性体との間の真空度の低下を防止することができ、物品固定器具の弾性体と壁面との密着性を維持することができる。
本発明の第１２の実施の形態は、第１０の実施の形態による物品固定器具に用いる手動空気吸引装置であり、この手動空気吸引装置が、手動で往復可能な円筒状のピストンとピストンを挿入するシリンダと、シリンダ端面に空気の逆流を防ぐ逆止弁とを有し、ピストンとシリンダで囲まれた空間に吸引室を形成したものである。本実施の形態によれば、簡単かつ安価な構成により弾性体と壁面間の空気を吸引することができる。
【０００８】
【実施例】
（実施例１）
以下、本発明の実施例を図面に基づいて説明する。図１（Ａ）は本実施例による物品固定器具を利用した壁面部の側面図、図１（Ｂ）は壁面側より見た背面図で、図１（Ａ）のｂ−ｂ’線断面図に対応する。
図１（Ａ）および図１（Ｂ）において、壁面４０に固定する日用品、家具及び家電製品等の物品３１の背面３０に、第１の弾性体１０および第２の弾性体２０が一体化されたシート状の弾性体からなる物品固定器具１を接着している。第１の弾性体１０は壁面４０に対する接着面の外周の大きさの環状（円環状、角環状の如何は問わない。）に形成され、第２の弾性体２０は第１の弾性体１０の環状内部に設けられる。すなわち、第２の弾性体２０の中央から外周方向に向かって異なる２種類の弾性体が配置される。第２の弾性体２０の大きさは、第１の弾性体１０の先端を壁面４０に接触させたとき、第１の弾性体１０、第２の弾性体２０および壁面４０で囲まれる空間ができるように、第２の弾性体の外周径を第１の弾性体１０の内周径よりやや小さくするか、第２の弾性体２０の厚さを第１の弾性体１０の厚さよりやや小さく形成することが好ましい。第１の弾性体１０と第２の弾性体２０の詳細および２種類の弾性体を使用する理由については後述する。
【０００９】
壁面４０は住宅の壁面などで、表面が滑らかな平面状以外に、壁紙などが貼付されて表面が凹凸状やざらざらした表面粗さを有する場合がある。以下の説明では表面が凹凸状やざらざらした表面粗さを有する場合について説明する。
第１の弾性体１０および第２の弾性体２０からなる物品固定器具１が接着された物品３１を壁面４０に押接すると、第１の弾性体１０の表面が壁面４０の表面の凹凸部やざらざらした表面粗さの形状に変形して密着する。このとき、第２の弾性体２０の表面は壁面４０に接触していてもしていなくてもよい。第１の弾性体１０と壁面４０との密着部では、第１の弾性体１０が壁面４０の表面の凹凸部やざらざらした表面粗さの形状に変形することにより外気との通気路が遮断され、また、押接時に第１の弾性体１０の変形により内部の空気が押し出され、押接終了時に第１の弾性体１０の弾性力で元の形状に戻る際に第１の弾性体１０の内部空間が減圧されるので、通常の吸盤と同様の作用で物品３１が壁面４０に仮固定される。
この状態で壁面４０と第１の弾性体１０、第２の弾性体２０間に残った空気を吸引すると真空度が上がって密着性が一層向上し、物品３１が壁面４０に押し付けられる力が増すため、物品３１の保持力を向上させることができる。
壁面４０と第１の弾性体１０、第２の弾性体２０間に残った空気を吸引するには、掃除機または真空ポンプなどを利用した吸引治具を利用する。
【００１０】
図２は掃除機または真空ポンプを利用した空気吸引用アタッチメントの一例である。掃除機または真空ポンプの吸込みノズル口（図示を省略する。）に、吸い込み口径を小さくするための細管アタッチメント６０を接続する。細管アタッチメント６０の他端にはテフロン（登録商標）などによる細管６１が設けられている。この細管６１を図１（Ａ）に示すように第１および第２の弾性体１０、２０と壁面４０間に挿入し、第１および第２の弾性体１０、２０と壁面４０間に残った空気の吸引を行う。この残留空気量は微量であるので、１分以内の短時間の吸引で十分な密着性を得る真空度を達成することができ、家庭用掃除機等を用い、簡便に空気を吸引することができる。空気吸引の際、第１および第２の弾性体１０、２０と壁面４０間に外気の空気を吸引する隙間が発生しないようにするため、細管６１の径は１〜２ｍｍ程度にすることが望ましい。
細管６１の径が細い場合、その材料によっては空気吸引後も細管６１の空気流通路は減圧状態でも塞がれないことがある。その場合、細管６１を第１および第２の弾性体１０、２０と壁面４０間から抜去すると、細管６１が挿入されていた部分は第１および第２の弾性体１０、２０の弾性と真空による外部からの押圧力により塞がれて、第１および第２の弾性体１０、２０と壁面４０間の空間は真空状態に維持され、物品３１は壁面４０に確実に密着固定される。一方細管６１の材料が比較的やわらかい場合は、空気吸引後細管６１の空気流通路は真空状態により塞がれる。この場合は、空気吸引後細管６１を抜去せずに切断すればよい。このときの切断片は第１および第２の弾性体１０、２０を壁面から離脱させる際の真空開放用つまみとして使用することができる。
【００１１】
第１の弾性体１０および第２の弾性体２０は硬度、ヤング率、引張強度、横弾性係数、せん断強度の少なくとも１つが異なる弾性体で構成する。第１の弾性体１０は第２の弾性体２０よりも硬度を低く抑え、柔らかいものが望ましい。たとえば、壁面４０の凹凸面やざらざら面の表面粗さに対応しやすく、さらに、材料の接着性の観点から、シリコーンゲル及びゴム、ポリマージェル、オリフィン系ゲル、ブチルゴム、エチレンプロピレンゴムを用いることが望ましい。また、硬度は、ＪＩＳＫ２２０７で計測される針入度を２０ｍｍ以下またはゴム硬度計（日本ゴム協会基準規格ＳＲＩＳ０１０１）で計測される値１００以下が望ましい。硬度がそれより高い場合は、吸着面に通気路ができて気密性が保持できにくくなる。以上の材料条件による第１の弾性体１０は壁面４０の凹凸や表面粗さに良くならい、内周の気密性を格段に向上させることができる。また、気体透過性の小さいブチルゴム、エチレンプロピレンゴムを用いることにより、外気から空気を浸透しにくくするので、気密性を一層高めることができる。特に、第１の弾性体としてブチルゴムまたはエチレンプロピレンゴムを用いることによって、壁面と弾性体との間の真空度をより保つことができる。
第１の弾性体１０は硬度が柔らかいために、物品３１の重量に対し変形しやすくなり、第１の弾性体１０の固定がずれてしまうことがある。そこで第１の弾性体１０の内部空間に第２の弾性体２０を介在させ、この第２の弾性体２０の材料として物品３１を保持するのに十分な剛性を持たせて、第２の弾性体２０で物品３１を保持させる。すなわち、第２の弾性体２０としては、第１の弾性体１０の材料と比較して、ヤング率、引張強度、横弾性係数、せん断強度などが高い材料を選定し、この特性を利用して物品３１を保持させる。ただし、第２の弾性体２０も気密性を保持するために壁面４０の凹凸面や表面粗さにある程度ならう硬度を持たせる必要があることは言うまでない。このような弾性体の二重構成により、比較的重い固定重量物に対しても、凹凸面や表面粗さにある壁面に傷をつけずに固定することができる。
【００１２】
物品３１を壁面４０から離脱する際には、図２で説明した細管６１を大気に連通させて第１の弾性体１０および第２の弾性体２０と壁面４０間の空間に挿入すると、真空が漏れて大気圧になるので、第１の弾性体１０および第２の弾性体２０を壁面４０に平行方向にずらすことにより取り外すことができる。この場合、掃除機または真空ポンプなどの空気吸引とは逆にエアポンプなどにより空気送風をすれば一層簡単に離脱させることができる。
【００１３】
（実施例２）
図３（Ａ）は本発明の第２の実施例における物品固定器具を利用した壁面部の側面図、図３（Ｂ）は壁面側より見た背面図で、図３（Ａ）のｂ−ｂ’線断面図に対応する。図１（Ａ）および図１（Ｂ）と同一部分には同一符号を付して説明を省略する。図１（Ａ）および図１（Ｂ）と異なる点は、第２の弾性体２０の中央部にざぐり領域５０を設けた点である。ざぐり領域５０を設けることにより、空気吸引時に吸込み空気流が矢印６２のようにざぐり領域５０の周囲四方向から吸引され易くなるので密着性がより向上する。さらにざくり領域５０の空間に形成される真空領域により物品３１の壁面４０に対する押圧力が一層高くなる。したがって、重量物に対する固定も可能となり、より強固な固定が実現できる。
【００１４】
（実施例３）
図４は本発明の第３の実施例における物品固定器具を利用した壁面部の側面図である。図４に示すように弾性材やＡＢＳ樹脂などのプラスチックによる高剛性反発材５１を弾性体１０の内部の下方位置に配置する。本実施例においては、図１および図３における第２の弾性体２０の有無は問わない。図４は第２の弾性体２０を省略した例を示す。
物品３１の重量によっては物品固定器具１を壁４０から浮き上がらせる剥離モーメントＭｔ１が生ずる。この剥離モーメントＭｔ１は物品３１の重量による加重Ｆと壁面４０からの距離Ｌによって生ずるモーメント（Ｆ×Ｌ）に相当する。そこで、高剛性反発材５１を設けて物品３０に対して剥離モーメントＭｔ１をキャンセルさせる反発モーメントＭｔ２（＝Ｆｒ×Ｘ）を作用させる。ここで、Ｆｒは反発力、Ｘは上部位置における弾性体１０と高剛性反発材５１との距離である。このとき、高剛性反発材５１の高さを周りの弾性体１０より若干高くすることによって、反発力Ｆｒをより大きく発生させることができる。
また、高剛性反発材５１を弾性体１０の外部の下位置に形成することによって、反発モーメントＭｔ２の腕の長さＸをさらに長くとることができるので、反発モーメントＭｔ２がさらに大きくなり、密着力を一層高くすることが可能となるので、より大きな重量の物品を安定的に保持することができる。したがって、剥離モーメントＭｔ１に対し物品固定器具１の可能な最大反発モーメントＭｔ２を大きくすればするほど、すなわちＭｔ１＜＜Ｍｔ２とすることで安定的に壁面４０に物品３１を固定させ、密着させることができるので、重量物に対しても高い信頼性が得られる。
物品固定器具１の空気の吸引およびその作用については実施例１および実施例２と同様であるので説明を省略する。
【００１５】
（実施例４）
図５（ａ）、（ｂ）、（ｃ）は本発明による物品固定器具を地震等に対する家具の転倒防止器具に応用した場合を説明する図である。転倒時に働く主要な力は壁面４０に対し垂直な力で、この力によって家具が転倒する。したがって、物品固定器具１の垂直方向の力で家具等の転倒を防止できる吸着力が得られるかがポイントになる。弾性体１０は転倒を防止できる吸着力に対し、破断等の発生しない材料強度で、凹凸な壁面４０をしっかり密着できる硬度の低い弾性体が望ましい。また、設置から時間が経過することで、壁面４０と弾性体１０との間の真空度が低下した際にも十分な安全性が得られるようする必要がある。
そこで、家具背面板７１にスリット長穴７５を形成し、その中に転倒ストッパー７２の連結材７２１を貫通させ、転倒ストッパー７２の一方の部材７２２を弾性体１０に固定し、他方の部材７２３を家具背面板７１の内部に配置する。家具背面板７１の背面にはばね台座７４が家具背面板７１に対して上下左右に自由にすべり可能に配置され、ばね台座７４と転倒ストッパー７２の部材７２２間にばね７３が設けられる。この状態で、転倒ストッパー７３を壁４０に押し付けることで、ばね７３によって弾性体１０を常に壁面４０に押圧した状態を維持する。従って、設置時から長時間が経過したとしても壁面４０と弾性体１０との間の真空度の低下を防止することができ、物品固定器具１の弾性体１０と壁面４０との密着性を維持することができる。物品固定器具１の空気の吸引およびその作用については実施例１および実施例２と同様であるので説明を省略する。
地震発生時に家具が転倒し始めたとき、転倒ストッパー７３の部材７２３が家具背面板７１で当接し、ばね７３が家具の転倒しようとする力に抗して引き戻す力が働き、壁４０方向に引き寄せ、さらに物品固定器具１の壁４０に対する吸着力により家具の転倒を防止する。地震の縦揺れの際には、物品固定器具１がずれてはずれないように、転倒ストッパー７２の連結材７２１が家具背面板７１に設けたスリット長穴７５内を上下方向に移動するので、振動を吸収することができる。また、ばね台座７４は地震発生時に家具背面板７１の背面に沿って上下左右方向に移動して振動を吸収する。したがって、ばね台座７４は摩擦力の少ない摩擦係数の小さな材料を選定することが好ましい。
【００１６】
（実施例５）
図６は本発明の物品固定器具に使用する手動空気吸引装置の一実施例を示す一部透過斜視図で、掃除機または真空ポンプを使用せず、手動で真空吸引を可能とする手動空気吸引装置８０の実施例である。手動空気吸引装置８０は、手動で往復駆動させる円筒形状のピストン８１とピストン８１を挿入するシリンダ８２で構成される。シリンダ８２内にはシリンダ内壁とピストン８１の先端で囲まれる吸引室８３が形成されており、シリンダ８２の端面には空気の逆流を防ぐ逆止弁８４が設置される。シリンダ８２の先端には吸引室８３に連通した細管８５が設けられている。
細管８５を第１および第２の弾性体１０、２０と壁面４０間に挿入し、ピストン８１のストロークが大きくなるように手動で引くことによって、弾性体１０、２０と壁面４０間に残っている空気を吸引室８３に吸引することができる。このとき、逆止弁８４によって吸引室８３からの空気の逆流を防ぐことができる。
本実施例によれば、掃除機や真空ポンプがない場合や電源が手近にない場合でも、簡単な構成で安価な手動吸引装置を用いることで弾性体１０、２０と壁面４０間の空気を吸引することができる。
【００１７】
物品３１を壁面４０から離脱させる際には、逆止弁８４を解除して、ピストン８１をシリンダ８２内に手動で押して細管８５から送風すればよい。
本発明が適用される物品３１としては、日用品では壁掛けフック、トイレットペーパ台、タオル掛け、ＣＤラック等の小物入れなどに利用することができる。家具では実施例４で説明したように、棚全般から本棚、食器棚、洋服ダンス等の地震発生時の転倒防止部材などに利用することができる。
家電製品ではリモコン台や壁掛けテレビ等の固定部材などに使用することができる。それ以外に、ポスター、インテリア部材、カーテンレール、写真用コルク板、伝言板等の多岐にわたる固定に用いることができる。
なお、実施例の説明では、壁面４０として表面が凹凸状やざらざらした表面粗さを有する場合について説明したが、表面が平坦な壁面にも適用できることはもちろんである。
また、弾性体として第１の弾性体１０および第２の弾性体２０を使用した場合について説明したが、物品３１が比較的軽い場合には第１の弾性体１０のみをシート状に形成して使用してもよい。
【００１８】
【発明の効果】
本発明によれば、平らな面だけでなく凹凸面やざらざら面のある壁や壁紙面などの壁面を傷めたり汚したりせず、しかも壁面に固定する物品を大きい保持力で固定することができる。
また、壁面と弾性体の間の空気を吸引する際に、簡単かつ安価な方法で空気吸引することができる。
また、弾性体と壁面との気密性密着性を上げる働きをさせる弾性体と固定物を保持させるための剛性の高い弾性体を併用することにより、比較的重い固定物についても凹凸やざらざら面の壁面において固定することができる。
また、弾性体の内部または外部に高剛性反発材を設けることにより物品の重量によって生ずる剥離モーメントをキャンセルさせることによって、密着力を一層高くすることが可能となり、重量物に対しても高い保持力で固定することができる。
また、家具の転倒防止器具に適用することにより、壁面を傷めたり汚したりせずに、地震発生時の家具転倒を防止することができる。
【図面の簡単な説明】
【図１】本発明の一実施例における物品固定器具による固定方法を説明する図で、（Ａ）は壁面部の側面図、（Ｂ）は（Ａ）のｂ−ｂ’線断面図
【図２】本発明の固定方法に使用される空気吸引用アタッチメントの一例を示す一部透過斜視図
【図３】本発明の第２の実施例における物品固定器具による固定方法を説明する図で、（Ａ）は壁面部の側面図、（Ｂ）は（Ａ）のｂ−ｂ’線断面図
【図４】本発明の第３の実施例における物品固定器具を利用した壁面部の側面図
【図５】本発明の第３の実施例における物品固定器具による固定方法を説明する図で、（Ａ）は壁面部の斜視図、（Ｂ）は上面から見た物品固定器具部分の平面図、（Ｃ）は側面から見た物品固定器具部分の側面図
【図６】本発明の物品固定器具に使用される手動空気吸引装置の一例を示す一部透過斜視図
【図７】従来の物品固定器具が壁面からずり落ちる様子を説明する側面図
【図８】従来の物品固定器具が壁面からずり落ちる他の様子を説明する側面図
【符号の説明】
１０  第１の弾性体
２０  第２の弾性体
３０  背面
３１  物品
４０  壁面
５０  ざぐり領域
６０  細管アタッチメント
６１  細管
７１  家具背面板
７２  転倒ストッパー
７３  ばね
７４  ばね台座
７５  スリット長穴
８０  手動空気吸引装置
８１  ピストン
８２  シリンダ
８３  吸引室
８４  逆止弁
８５  細管
【図１】
2004293570.tif 000003
【図２】
2004293570.tif 000004
【図３】
2004293570.tif 000005
【図４】
2004293570.tif 000006
【図５】
2004293570.tif 000007
【図６】
2004293570.tif 000008
【図７】
2004293570.tif 000009
【図８】
2004293570.tif 000010